(57)【特許請求の範囲】
【請求項１】
セルラ通信ネットワーク（４００）において基地局（４１０）に接続している、チャネル状態情報（ＣＳＩ）をレポートするユーザ装置（４２０）における方法であって、
前記方法は、
グラントをＣＳＩレポートに用いられるサブフレームｎで前記基地局（４１０）から受信する工程（７０２）と、
サブフレームｎ＋ｐのサブフレーム・タイプを決定する工程（７０３）と、
前記決定されたサブフレーム・タイプの複数のサブフレームにわたって干渉測定値の平均をとる工程と、
前記サブフレームｎ＋ｐのサブフレーム・タイプにおけるチャネル状態を反映しているＣＳＩを前記基地局（４１０）にレポートする工程（７０４）とを有し、
ｐは変数値であることを特徴とする方法。
【請求項２】
前記ｐの値は、ゼロに等しいことを特徴とする請求項１に記載の方法。
【請求項３】
前記ｐの値は、前記セルラ通信ネットワーク（４００）と前記ユーザ装置（４２０）の両方に知られた変数値であることを特徴とする請求項１に記載の方法。
【請求項４】
前記サブフレームｎ＋ｐのサブフレーム・タイプは、２つ以上のサブフレーム・タイプの１つであり、
前記２つ以上のサブフレーム・タイプは、異なるサブフレーム・タイプの各セットと関係しており、
前記レポートする（７０４）ＣＳＩは、前記サブフレームｎ＋ｐのサブフレーム・タイプに関係する前記サブフレームのセットに属するサブフレームにおけるチャネル状態を反映していることを特徴とする請求項１乃至３のいずれか１項に記載の方法。
【請求項５】
前記サブフレームのセットを示すメッセージを前記基地局から受信する工程（７０１）をさらに有することを特徴とする請求項４に記載の方法。
【請求項６】
前記サブフレーム・タイプは、保護されたサブフレームに対応する第１のサブフレーム・タイプにより表わされ、
前記第１のサブフレーム・タイプは、隣接セルにより生じた低い干渉に合わせられた保護されたサブフレームを含むサブフレームのセットに関係していることを特徴とする請求項１乃至５のいずれか１項に記載の方法。
【請求項７】
前記サブフレーム・タイプは、保護されていないサブフレームに対応する第２のサブフレーム・タイプにより表わされ、
前記第２のサブフレーム・タイプは、保護されていないサブフレームを含むサブフレームのセットに関係しており、
前記保護されていないサブフレームは、隣接セルにより生じた低い干渉に合わせられた保護されたサブフレームの一部ではないサブフレームであることを特徴とする請求項１乃至５のいずれか１項に記載の方法。
【請求項８】
前記サブフレーム・タイプは、保護されたサブフレームに対応する第１のサブフレーム・タイプにより表わされ、
前記第１のサブフレーム・タイプは、前記基地局（４１０）からの前記メッセージにおいて保護されていることが示されたサブフレームのセットに関係していることを特徴とする請求項５に記載の方法。
【請求項９】
前記サブフレーム・タイプは、保護されていないサブフレームに対応する第２のサブフレーム・タイプにより表わされ、
前記第２のサブフレーム・タイプは、前記基地局（４１０）からの前記メッセージにおいて補完であることが示されたサブフレームのセットに関係していることを特徴とする請求項５に記載の方法。
【請求項１０】
前記サブフレームのセットは、隣接セルにより生じた低い干渉に合わせられた保護されたサブフレームのセットを含むことを特徴とする請求項４乃至９のいずれか１項に記載の方法。
【請求項１１】
前記ＣＳＩのレポート（７０４）は、非周期的であることを特徴とする請求項１乃至１０のいずれか１項に記載の方法。
【請求項１２】
セルラ通信ネットワーク（４００）に含まれている基地局（４１０）において、ユーザ装置（４２０）からチャネル状態情報（ＣＳＩ）を取得する方法であって、
前記方法は、
グラントをＣＳＩレポートに用いられるサブフレームｎで前記ユーザ装置（４２０）に提供する工程（９０１）と、
サブフレームｎ＋ｐのサブフレーム・タイプにおけるチャネル状態を反映しているＣＳＩを前記ユーザ装置（４２０）から受信する工程（９０２）とを有し、
ｐは変数値であり、前記受信したＣＳＩは前記サブフレーム・タイプの複数のサブフレームにわたって平均された干渉測定値に基づいていることを特徴とする方法。
【請求項１３】
前記ｐの値はゼロに等しいことを特徴とする請求項１２に記載の方法。
【請求項１４】
前記ｐの値は、前記セルラ通信ネットワーク（４００）と前記ユーザ装置（４２０）の両方に知られた変数値であることを特徴とする請求項１２に記載の方法。
【請求項１５】
前記サブフレームｎ＋ｐのサブフレーム・タイプは、２つ以上のサブフレーム・タイプの１つであり、
前記２つ以上のサブフレーム・タイプは、異なるサブフレーム・タイプの各セットと関係しており、
前記ユーザ装置（４２０）から受信した（９０２）ＣＳＩは、前記サブフレームｎ＋ｐのサブフレーム・タイプに関係する前記サブフレームのセットに属するサブフレームにおけるチャネル状態を反映していることを特徴とする請求項１２乃至１４のいずれか１項に記載の方法。
【請求項１６】
前記サブフレームのセットを示すメッセージを前記ユーザ装置（４２０）に送信する工程（９０３）をさらに有することを特徴とする請求項１５に記載の方法。
【請求項１７】
前記サブフレーム・タイプは、保護されたサブフレームに対応する第１のサブフレーム・タイプにより表わされ、
前記第１のサブフレーム・タイプは、隣接セルにより生じた低い干渉に合わせられた保護されたサブフレームを含むサブフレームのセットに関係していることを特徴とする請求項１２乃至１６のいずれか１項に記載の方法。
【請求項１８】
前記サブフレーム・タイプは、保護されていないサブフレームに対応する第２のサブフレーム・タイプにより表わされ、
前記第２のサブフレーム・タイプは、保護されていないサブフレームを含むサブフレームのセットに関係しており、
前記保護されていないサブフレームは、隣接セルにより生じた低い干渉に合わせられた保護されたサブフレームの一部ではないサブフレームであることを特徴とする請求項１２乃至１６のいずれか１項に記載の方法。
【請求項１９】
前記サブフレーム・タイプは、保護されたサブフレームに対応する第１のサブフレーム・タイプにより表わされ、
前記第１のサブフレーム・タイプは、前記ユーザ装置（４２０）に対する前記メッセージにおいて保護されていることが示されたサブフレームのセットに関係していることを特徴とする請求項１６に記載の方法。
【請求項２０】
前記サブフレーム・タイプは、保護されていないサブフレームに対応する第２のサブフレーム・タイプにより表わされ、
前記第２のサブフレーム・タイプは、前記ユーザ装置（４２０）に対する前記メッセージにおいて補完であることが示されたサブフレームのセットに関係していることを特徴とする請求項１６に記載の方法。
【請求項２１】
前記サブフレームのセットは、隣接セルにより生じた低い干渉に合わせられた保護されたサブフレームのセットを含むことを特徴とする請求項１５乃至２０のいずれか１項に記載の方法。
【請求項２２】
前記基地局（４１０）は第１のセルにサービスを行っている低電力ノードによって表わされ、
前記第１のセルは、マクロ基地局によりサービスを受けるマクロセルにより表わされる隣接セルに含まれており、
前記第１のセルと前記マクロセルとは同じ搬送波周波数で無線リソースを共用することを特徴とする請求項１２乃至２１のいずれか１項に記載の方法。
【請求項２３】
前記基地局（４１０）はピコセルにサービスを行っているピコ基地局によって表わされ、
前記ピコセルは、マクロ基地局によりサービスを受けるマクロセルにより表わされる隣接セルに含まれており、
前記ピコセルと前記マクロセルとは同じ搬送波周波数で無線リソースを共用することを特徴とする請求項１２乃至２２のいずれか１項に記載の方法。
【請求項２４】
セルラ通信ネットワークにおいて基地局（４１０）と通信するように適合されたユーザ装置（４２０）であって、前記ユーザ装置（４２０）は前記基地局（４１０）にチャネル状態情報（ＣＳＩ）をレポートすることが可能であり、
前記ユーザ装置の構成（８００）は、
グラントをＣＳＩレポートに用いられるサブフレームｎで前記基地局（４１０）から受信し、
サブフレームｎ＋ｐのサブフレーム・タイプを決定し、
前記決定されたサブフレーム・タイプの複数のサブフレームにわたって干渉測定値の平均をとり、
前記サブフレームｎ＋ｐのサブフレーム・タイプにおけるチャネル状態を反映しているＣＳＩを前記基地局（４１０）にレポートするように構成された処理回路（８０５）を有し、
ｐは変数値であることを特徴とするユーザ装置。
【請求項２５】
前記ｐの値は、ゼロに等しいことを特徴とする請求項２４に記載のユーザ装置。
【請求項２６】
ユーザ装置（４２０）からチャネル状態情報（ＣＳＩ）を取得することが可能な、セルラ通信ネットワーク（４００）に含まれている基地局（４１０）であって、
前記基地局（４１０）の構成（１０００）は、
グラントをＣＳＩレポートに用いられるサブフレームｎで前記ユーザ装置（４２０）に提供し、
サブフレームｎ＋ｐのサブフレーム・タイプにおけるチャネル状態を反映しているＣＳＩを前記ユーザ装置（４２０）から受信するように構成された処理回路（１０１０）を有し、
ｐは変数値であり、前記受信したＣＳＩは前記サブフレーム・タイプの複数のサブフレームにわたって平均された干渉測定値に基づいていることを特徴とする基地局。
【発明の詳細な説明】
【技術分野】
【０００１】
本発明の実施例は、ユーザ装置における方法および装置構成、及び基地局における方法および装置構成に関し、特に、チャネル状態情報のレポートに関する。
【背景技術】
【０００２】
移動局のような通信デバイスは、例えば、移動端末と無線端末とユーザ装置（ＵＥ）との内の少なくともいずれかのものとしても知られている。移動局は、しばしばセルラ無線システムとしても言及されるセルラ通信ネットワークまたは無線通信システムにおいて、無線通信できるようになっている。その通信は、例えば、２つの移動局間と、移動局と通常の電話機との間と、セルラ通信ネットワークに含まれる無線アクセスネットワーク（ＲＡＮ）そしておそらくは１つ以上のコアネットワークを経由して移動局とサーバとの間との内の少なくともいずれかで行われるかもしれない。
【０００３】
移動局はさらに、ユーザ装置、端末、移動電話、セルラ電話、または無線機能付ラップトップとして言及される場合がある。この明細書における移動局は、例えば、携帯可能な、ポケット収容可能な、ハンドヘルドの、コンピュータを備える、または、車載型の移動デバイスであり、例えば、別の移動局またはサーバなどのような別のエンティティと、無線アクセスネットワーク経由で、音声とデータとの内少なくともいずれかの通信を行うことができるようになっている。
【０００４】
セルラ通信ネットワークは、セル領域に分割されている地理的地域をカバーしており、各セル領域は基地局、用いられる技術や用語に依存して、例えば、ｅＮＢ、ｅノードＢ、ノードＢ、Ｂノード、またはＢＴＳ（無線基地局）としてしばしば言及される、例えば、無線基地局（ＲＢＳ）によりサービスを受ける。その基地局は、送信電力およびこれによるセルの大きさにも基づいて、例えば、マクロｅノードＢ、ホームｅノードＢまたはピコ基地局のように種々に分類される場合がある。セルは地理的領域であり、そこの無線カバレッジは基地局設置場所にある基地局により備えられる。基地局設置場所に位置する１つの基地局は、１つ以上のセルにサービスを行うことができる。さらに、各基地局は１つ以上の通信技術をサポートする場合がある。その基地局は、無線周波数で動作するエアインタフェースによって基地局の範囲内にある移動局と通信する。
【０００５】
一部の無線アクセスネットワークでは、いくつかの基地局は、例えば、地上の通信回線またはマイクロ波により、例えば、全球移動体通信システム（ＵＭＴＳ）における無線ネットワーク制御装置（ＲＮＣ）のような無線ネットワーク制御装置と接続されるか、或いは、相互接続されるかの内の少なくともいずれかの接続がなされる場合がある。
【０００６】
第３世代パートナーシッププロジェクト（３ＧＰＰ）ロングタームエボリューション（ＬＴＥ）では、ｅノードＢｓまたはｅＮＢｓとして言及されるかもしれない基地局は、１つ以上のコアネットワークと直接接続される場合がある。
【０００７】
ＵＭＴＳはＧＳＭ（登録商標）から発展した第３世代移動体通信システムであり、広帯域符号分割多元接続（ＷＣＤＭＡ）アクセス技術に基づいて改善された移動体通信サービスを提供することが意図されている。ＵＭＴＳ地上無線アクセスネットワーク（ＵＴＲＡＮ）は本質的に、移動局に対して広帯域符号分割多元接続を用いる無線アクセスネットワークである。３ＧＰＰは、ＵＴＲＡＮとＧＳＭに基づく無線アクセスネットワーク技術をさらに発展させることに着手している。ＵＴＲＡＮの発展は一般的に、高度化ＵＴＲＡＮ（Ｅ−ＵＴＲＡＮ）またはＬＴＥと呼ばれる。
【０００８】
この明細書が開示する文脈では、ダウンリンク（ＤＬ）という表現は、基地局から移動局への伝送パスに用いられる。アップリンク（ＵＬ）という表現は、その反対方向、即ち、移動局から基地局への伝送パスに用いられる。
【０００９】
異機種環境のネットワーク運用へのサポートを改善することは、３ＧＰＰ  ＬＴＥ  リリース１０のＬＴＥ技術仕様に関する進行中の機能拡張の一部である。異機種環境のネットワークでは、大きさが種々で、そしてカバレッジ領域が重複しているセルが混在して展開される。そのような展開の一例は、マクロセルのカバレッジ領域内に、ピコセルが展開されている場合である。ピコセルは通常小さい地域をカバーする小さいセルラ基地局である。従って、小さなセルラ基地局は低電力で送信する。従って、小さなセルラ基地局は低電力ノードと呼ばれる場合がある。異機種環境のネットワークにおける低電力ノードの他の例は、ホーム基地局および中継器である。以下検討するように、出力電力での大きな差異、例えば、マクロセルにおいて４６ｄＢｍでありピコセルにおいて３０ｄＢｍ未満であるすると、その結果は、全ての基地局が同じ出力電力であるネットワークにおいて見られるものよりも異なる干渉状況をもたらすものとなる。
【００１０】
ピコ基地局のような低電力ノードをマクロセルのカバレッジ内に展開する目的は、ネットワークの至るところで非常に高速なデータアクセスの広域にわたる実感をユーザに提供することだけでなく、セル分割利得によってシステム容量を改善することである。異機種環境の展開は、具体的にはトラフィック・ホットスポット、即ち、例えば、ピコセルによりサービスを受けるユーザ密度が高い小さい地理的地域をカバーするのに有効であり、ピコセルはより高密度なマクロネットワークに対する代替的な展開を代表するものである。
【００１１】
図１は、１つのマクロセル１１０と３つのピコセル１２０とを有する異機種環境のネットワーク１００において、マクロセルとピコセルの展開例を描いている。異機種環境のネットワークを運用するための最も基本的な手段は、異なるレイヤ間で、即ち、図１の異機種環境のネットワーク１００におけるマクロセル１１０とピコセル１２０との間で、周波数分離を適用することである。異なるレイヤ間での周波数分離は、異なるレイヤが異なる重複しない搬送波周波数で動作できるようにすることにより得られる。このようにして、セルのレイヤ間でのいかなる干渉も回避される。図１でピコセル１２０に対してマクロセルの干渉がなくて、全てのリソースがピコセルにより同時に用いられる場合に、セル分割利得は達成される。異なる搬送波周波数でレイヤを運用する欠点は、リソース利用が非効率に至る場合がある点である。例えば、ピコセル１２０におけるアクティビティが低い場合には、マクロセル１１０において全ての搬送波周波数を用い、そして基本的にはピコセル１２０のスイッチを切ることがより効率的である場合がある。しかしながら、レイヤを跨ぐ搬送波周波数の分割は通常、静的に行われる。
【００１２】
異機種環境のネットワークを運用する別の関係する手段は、マクロセルとピコセルを跨ぐ送信を調整することにより同じ搬送波周波数の無線リソースを共用することである。この種の調整は、セル間干渉コーディネーション（ＩＣＩＣ）と呼ばれ、一定の無線リソースがある期間ずっとマクロセルに割当てられる一方、残りのリソースがマクロセルから干渉を受けずにピコセルによりアクセスできる。レイヤを跨ぐトラフィック状況によって、このリソース分割は、種々のトラフィック需要を収容するように経時的に変更できる。上述した搬送波周波数の分割とは対照的に、レイヤを跨って無線リソースを共用する方法は、異機種環境のネットワークにおけるノード間インタフェースの実装によって、多かれ少なかれ動的になされる。ＬＴＥでは、Ｘ２インタフェースが、基地局ノード間で様々な種類の情報を交換するためにその仕様が規定されている。そのような情報交換の一例は、基地局が一定のリソース上で送信電力を減らすであろうということを他の基地局に知らせることができることである。
【００１３】
基地局ノード間での時間同期は、レイヤを跨ぐＩＣＩＣが異機種環境のネットワークにおいて効率的に機能するであろうことを保証するのに必要である。これは具体的には、リソースが同じ搬送波で同時に共用される時間ドメインに基づくＩＣＩＣ方式にとって重要である。
【００１４】
ＬＴＥは、ダウンリンクでは直交周波数分割多重（ＯＦＤＭ）を用い、アップリンクでは離散的フーリエ変換−拡散ＯＦＤＭ（ＤＦＴ拡散ＯＦＤＭ）を用いる。ＯＦＤＭ伝送では、一連の変調されたシンボルが、狭帯域の直交する副搬送波により送信され、副搬送波の数はＯＦＤＭ信号の送信帯域幅を規定する。ＤＦＴ拡散ＯＦＤＭでは、一連の変調されたシンボルはＯＦＤＭ信号を生成する前に最初にプリコーディングされ、プリコーディングは、送信電力が制限された端末に相応しいＯＦＤＭ信号の電力特性を提供することを目標とする。このようにして、基本的なＬＴＥ物理リソースは、図２に説明されているように時間−周波数グリッドとみなされ、各リソース要素はＯＦＤＭシンボル区間中の１つの副搬送波に対応する。ＯＦＤＭシンボル区間の一部は、シンボル間干渉を軽減するために導入されたサイクリック・プレフィックスである。ＬＴＥは２つのサイクリック・プレフィックス長をサポートし、通常、それぞれ正規（normal）のサイクリック・プレフィックスおよび拡張（extended）サイクリック・プレフィックスと呼ばれる。
【００１５】
時間ドメインでは、ＬＴＥダウンリンク伝送は、１０ミリ秒の無線フレームに構成されていて、各無線フレームは１ミリ秒の、大きさの等しい１０個のサブフレームを備えている。サブフレームは、各々が０．５ミリ秒時間継続する２つのスロットに分けられる。各スロットは、選択されたサイクリック・プレフィックス長によって６つか７つのいずれかのＯＦＤＭシンボルを備える。
【００１６】
ＬＴＥにおけるリソース割当てはリソース・ブロックにより記述され、リソース・ブロックは、時間ドメインでは１つのスロットに対応し、周波数ドメインでは１２個の連続した１５ｋＨｚの副搬送波に対応する。時間的に２つの連続したリソース・ブロックは、リソース・ブロックペアを表し、スケジューリングが動作する時間区間に対応する。
【００１７】
ＬＴＥにおける伝送は、基地局が物理ダウンリンク制御チャネル（ＰＤＣＣＨ）経由で、割当てとグラントとの内、少なくともいずれかを一定のユーザ装置に送信する各サブフレームにおいて、動的にスケジューリングされる。ＰＤＣＣＨは、各サブフレームにおいて第１の（複数の）ＯＦＤＭシンボルで送信され、システムの全帯域幅にわたって広がる。ＰＤＣＣＨにより搬送されるダウンリンク制御情報を復号化するユーザ装置は、サブフレーム内のどのリソース要素が、ユーザ装置を目指したデータを含むのかを知っている。ＬＴＥでは、データは物理ダウンリンク共用チャネル（ＰＤＳＣＨ）により搬送される。
【００１８】
送信されたデータの復調には、送信された参照シンボル、即ち、受信機により知られているシンボルを用いることにより行われる無線チャネルの推定が必要である。ＬＴＥでは、セル固有の参照シンボルが全てのダウンリンク・サブフレームで送信され、ダウンリンク・チャネル推定を支援することに加えて、その参照シンボルはまた、ユーザ装置により行われるモビリティ測定にも用いられる。ＬＴＥはまた、復調のためにチャネル推定を支援することのみを目的としたユーザ装置固有の参照シンボルをサポートする。
【００１９】
サブフレーム・ベースで変わることがある制御領域の長さは、物理制御フォーマット通知チャネル（ＰＣＦＩＣＨ）で伝達される。ＰＣＦＩＣＨは制御領域内で、ユーザ装置により知られている位置で送信される。ユーザ装置がＰＣＦＩＣＨを復号化した後、ユーザ装置はこのようにして、制御領域の大きさと、いずれのＯＦＤＭシンボルでデータ送信が始まるかを知る。
【００２０】
物理ハイブリッド−ＡＲＱ通知チャネルはまた、制御領域で送信される。このチャネルは、前のサブフレームでのアップリンク・データ送信が基地局によりうまく復号化されたか否かを知らせるために、ユーザ装置に確認応答／否定応答（ＡＣＫ／ＮＡＣＫ）を搬送する。
【００２１】
ＬＴＥユーザ装置がＬＴＥネットワークと通信できる前に、ユーザ装置は最初に、ネットワーク内のセルとの同期を見出し獲得する、即ち、セル探索を行わなければならない。その場合、ユーザ装置は、セルと通信し、そしてそのセル内で適切に動作するのに必要なシステム情報を受信して復号化し、そして、最後に、いわゆるランダムアクセス手順を用いてそのセルにアクセスしなければならない。
【００２２】
図３は、混合セル・シナリオにおけるアップリンクとダウンリンクのカバレッジを描いている。モビリティをサポートするために、ユーザ装置は絶えず、在圏／滞在中のセルと隣接セルの双方を探索し、双方に同期し、そして双方の受信品質を推定する必要がある。その時点のセルの受信品質との関連で、接続モードにあるユーザ装置に対するハンドオーバ、またはアイドルモードにあるユーザ装置に対するセル再選択が実施されるべきであるかどうかを結論するために、その場合、隣接セルの受信品質が評価される。セルを変更する手順は、ユーザ装置が２つの無線リソース制御（ＲＲＣ）状態、接続モードかアイドルモードのいずれにあるかに依存する。アイドルモードでは、モビリティはユーザ装置により制御されて、セル再選択に当てはまる一方、接続モードでは、モビリティはネットワークにより制御されて、ハンドオーバに当てはまる。接続モードにあるユーザ装置に対して、ハンドオーバの決定は、ユーザ装置により提供される測定結果レポートに基づいてネットワークにより行われる。そのようなレポートの例は、参照信号受信電力（ＲＳＲＰ）と参照信号受信品質（ＲＳＲＱ）である。おそらくは構成設定可能なオフセットにより補完される、これらの測定結果がどのように用いられるかに依存して、ユーザ装置は、受信電力が最も強いセル、またはパス利得が最良のセル、または２つを組み合わせたセルに接続される。異なるタイプのセルの基地局出力電力が異なるので、これらは、同じセルが選択される結果にはならない。これはリンク不均衡（link imbalance）としてしばしば言及される。例えば、ピコセルまたは中継器の出力電力は、ほぼ３０ｄＢｍ程度かまたはそれ以下である一方、マクロ基地局は４６ｄＢｍの出力電力を有することができる。その結果、ピコセルの近隣においてさえ、マクロセルからのダウンリンク信号強度はピコセルのそれよりも大きいことがある。ダウンリンクの観点からは、ダウンリンク受信電力に基づいてセルを選択するのがよく、一方アップリンクの観点からは、パス損失に基づいてセルを選択するのがよいであろう。セル選択のアプローチが図３に説明されている。
【発明の概要】
【発明が解決しようとする課題】
【００２３】
それ故、上記のシナリオでは、システムの観点からすれば、マクロセルのダウンリンクがピコセルのダウンリンクよりも遥かに強くても、ピコセルに接続する方がよい場合があるかもしれない。しかしながら、レイヤを跨るＩＣＩＣは、ユーザ装置３００がＵＬ境界とＤＬ境界の領域、即ち、図３に描かれているリンク不均衡ゾーン３１０内で動作する場合には、必要になるであろう。
【００２４】
接続モードにあるユーザ装置は、チャネル状態情報（ＣＳＩ）、例えば、相応しいランク指標（ＲＩ）、１つ以上のプリコーディング・マトリックス指標（ＰＭＩ）、及び、チャネル品質指標（ＣＱＩ）をレポートするように、基地局により要求される場合があるかもしれない。ＣＱＩレポートは、ユーザ装置により観測された一定のダウンリンク・サブフレームにおける瞬時的な無線品質を反映する一方、ＲＩおよびＰＭＩのレポートは、多入力多出力（ＭＩＭＯ）伝送のためのパラメータ設定に関するユーザ装置の提案をネットワークに提供する。明示的なチャネル・フィードバックと干渉共分散フィードバックを含む他の種類のＣＳＩも考えられる。
【課題を解決するための手段】
【００２５】
ＣＳＩレポートのメカニズムを改善することが、本発明の実施例の目的である。
【００２６】
本発明の実施例を第１の側面から見れば、その目的は、チャネル状態情報（ＣＳＩ）をレポートするユーザ装置における方法により達成される。ユーザ装置は、セルラ通信ネットワークにおいて基地局に接続している。ユーザ装置は、グラントをＣＳＩレポートに用いられるサブフレームｎで基地局から受信する。次に、ユーザ装置はサブフレームｎ＋ｐのサブフレーム・タイプを決定する。ユーザ装置はそれから、ＣＳＩを基地局にレポートする。ＣＳＩは、サブフレームｎ＋ｐのサブフレーム・タイプにおけるチャネル状態を反映しているる。ここで、ｐは変数値である。
【００２７】
本発明の実施例の第２の側面から見れば、その目的は、ユーザ装置からＣＳＩを取得する、セルラ通信ネットワーク４００内に含まれている基地局における方法により達成される。その基地局は、グラントをＣＳＩレポートに用いられるサブフレームｎでユーザ装置に提供する。次に、基地局は、サブフレームｎ＋ｐのサブフレーム・タイプにおけるチャネル状態を反映しているＣＳＩをユーザ装置から受信する。ここで、ｐは変数値である。
【００２８】
本発明の実施例の第３の側面から見れば、その目的は、セルラ通信ネットワークにおいて基地局と通信するように適合されたユーザ装置の構成により達成される。ユーザ装置は前記基地局にＣＳＩをレポートすることができる。このユーザ装置の構成では、グラントをＣＳＩレポートに用いられるサブフレームｎで基地局から受信し、サブフレームｎ＋ｐのサブフレーム・タイプを決定するように構成された処理回路を備える。この処理回路はさらに、サブフレームｎ＋ｐのサブフレーム・タイプにおけるチャネル状態を反映しているＣＳＩを基地局にレポートするように構成される。ここで、ｐは変数値である。
【００２９】
本発明の実施例の第４の側面から見れば、その目的は、ユーザ装置からＣＳＩを取得することができる基地局の構成により達成される。基地局はセルラ通信ネットワークに含まれる。この基地局の構成は、グラントをＣＳＩレポートに用いられるサブフレームｎでユーザ装置に提供し、サブフレームｎ＋ｐのサブフレーム・タイプにおけるチャネル状態を反映しているＣＳＩをユーザ装置から受信するように構成された処理回路を備える。ここで、ｐは変数値である。
【００３０】
ユーザ装置はサブフレームｎで受信したグラントから、サブフレームｎ＋ｐのサブフレーム・タイプを決定し、サブフレームｎ＋ｐのサブフレーム・タイプにおけるチャネル状態を反映しているＣＳＩをレポートできるので、サブフレームの種々のタイプにおける無線状態をレポートするために、更なるビットを用いてＣＳＩレポートグラントを拡張する必要がない。この結果、より少ないオーバヘッドによりＣＳＩをレポートするという改善されたメカニズムが得られる。
【００３１】
本発明のいくつかの実施例について、添付図面を参照してより詳細に説明する。
【図面の簡単な説明】
【００３２】
【図１】従来技術を説明する概略ブロック図である。
【図２】従来技術を説明する概略ブロック図である。
【図３】従来技術を説明する概略ブロック図である。
【図４】セルラ通信ネットワークの実施例を説明する概略ブロック図である。
【図５】セルラ通信ネットワークにおける実施例を例示する概略ブロック図である。
【図６】セルラ通信ネットワークにおける実施例を例示する概略ブロック図である。
【図７】ユーザ装置における方法の実施例を描いたフローチャートである。
【図８】ユーザ装置の構成の実施例を例示する概略ブロック図である。
【図９】基地局における方法の実施例を描いたフローチャートである。
【図１０】基地局の構成の実施例を例示する概略ブロック図である。
【発明を実施するための形態】
【００３３】
以下の説明では、限定を目的とするのではなく説明を目的として、特定のアーキテクチャ、インタフェース、技術などのような具体的な詳細について、本発明の完全なる理解を提供するために説明する。しかしながら、当業者であれば、本発明がこれらの具体的の詳細から逸脱する他の実施例で実施される可能性があることは明らかであろう。他の例では、周知のデバイス、回路、および方法の詳細な説明は、これを不必要に詳細に述べることにより本発明の説明をあいまいにしないように省略する。
【００３４】
図４はこの実施例が実装されるセルラ通信ネットワーク４００を描いている。セルラ通信ネットワーク４００は、ＬＴＥネットワーク、ＷＣＤＭＡネットワーク、ＧＳＭネットワーク、他の何らかの３ＧＰＰセルラネットワーク、何らかのセルラネットワークまたはシステムのようなセルラ通信ネットワークである。セルラ通信ネットワーク４００は、出力電力が大きく異なる各基地局によりサービスを受けるセルを有する異機種環境のネットワークであっても良い。そのような異機種環境のネットワークの一例は、ピコセルがマクロセルのカバレッジ領域内に展開されているものである。ピコセルは通常、小さい領域をカバーする小さいセルラ基地局である。ピコセルは通常、マクロセルに比べて遥かに小さい地理的領域をカバーしている。
【００３５】
セルラ通信ネットワーク４００は基地局４１０を有する。基地局４１０は、低電力基地局、例えば、セルラ通信システムにおいてユーザ装置にサービスを行う、ピコｅＮＢとも呼ばれるピコ基地局、ホーム基地局ｅＮＢ、中継局、または他の何らかの低電力基地局などであっても良い。低電力基地局の送信電力は通常、マクロ基地局の送信電力より１０ｄＢから２５ｄＢ低い範囲にある。基地局４１０はまた、低電力基地局をピコ基地局であるとして例示する場合、ＰｅＮＢと表記される場合がある。基地局４１０はセル４１５にサービスを行う無線基地局である。セル４１５は、例えば、マイクロセルでも良いし、或いは、ピコセルでも良いし、例えば、フェムトセルのような他の何らかの低電力セルでも良い。
【００３６】
ユーザ装置４２０はセル４１５内に位置している。ユーザ装置４２０が基地局４１０によりサービスを受けるセル４１５にいる場合、ユーザ装置４２０は無線リンク４１０により基地局４１０を経由してセルラ通信ネットワーク４００内で通信を行うように構成される。
【００３７】
図４の例では、セルラ通信ネットワーク４００はさらに、セル４１５に隣接したセル、それ故に、隣接セル４２５と呼ばれるセルを有する。隣接セル４２５はマクロ基地局４３０によりサービスを受ける。この例では、隣接セル４２５は、低電力基地局４１０によりサービスを受けるセル４１５より大きなカバレッジ領域をもつマクロ基地局４３０によりサービスを受ける。この例では、セル４１５は隣接セル４２５のカバレッジ領域内に展開されている。マクロ基地局４３０はまた、ＭｅＮＢと呼ばれる場合もある。
【００３８】
ＣＳＩレポート
レイヤを跨ぐＩＣＩＣを提供する一例が図５に図示されている。このシナリオでは、隣接セル４２５はセル４１５に干渉している、即ち、セル４１５に向かうダウンリンクの干渉がある。マクロ基地局４３０は、ＰＤＣＣＨｓもＰＤＳＣＨも生じないことを示唆している一定のサブフレーム５０１でサービスを行う（不図示の）ユーザ装置をスケジューリングすることを回避するかもしれない。このようにして、ユーザ装置４２０がリンク不均衡ゾーン内で動作する場合、ユーザ装置４２０を保護するために用いられる低干渉サブフレームを生成することが可能になる。ＬＴＥでは、Ｘ２インタフェースと呼ばれるインタフェースが基地局を相互接続するのに用いられ、セル間メッセージは、Ｘ２アプリケーションプロトコル（Ｘ２−ＡＰ）によって送信される。マクロ基地局４３０は、どのサブフレーム内でマクロ基地局４３０がユーザ装置をスケジューリングすることを回避するであろうかということを、バックホール・インタフェースＸ２を介して基地局４１０に示すことができる。Ｘ２−ＡＰにより搬送されるメッセージは通常、マクロ基地局４３０がユーザ装置をスケジューリングすることを回避しようとするサブフレームを示すビットマップにより表される。基地局４１０はそれから、ユーザ装置がリンク不均衡ゾーン内で、即ち、セル４１５内であるがＤＬ境界の外で動作する場合に、ユーザ装置４２０のようなユーザ装置をスケジューリングする場合、この情報を考慮に入れるであろう。マクロレイヤで低干渉サブフレームに合わせられている、即ち、関係しているサブフレームにおいて、即ち、干渉保護サブフレームにおいて、これらのユーザ装置がスケジューリングされるように、このことが行われる場合がある。しかしながら、ユーザ装置は、ＤＬ境界内で動作する場合、全てのサブフレームにおいて、即ち、保護サブフレームと非保護サブフレームとの両方においてスケジューリングされても良い。
【００３９】
ユーザ装置４２０が接続モードで動作する場合、ユーザ装置４２０は、基地局４１０によりチャネル状態情報（ＣＳＩ）測定を行うように要求される場合がある。レポートされたＣＳＩのフィードバックを用いて、基地局４１０は、ユーザ装置４２０をダウンリンクでスケジューリングする場合、送信に相応しいユーザ装置ビット速度だけでなく、一定の送信方式を決める場合がある。ＬＴＥでは、周期的即ち一定の間隔で、そして、非周期的即ち一定の間隔で繰り返さないことの双方で、ＣＳＩレポートがサポートされる。周期的なＣＳＩレポートを行う場合には、ユーザ装置４２０は、例えば、物理アップリンク制御チャネル（ＰＵＣＣＨ）で、設定された周期的時間ベースでＣＳＩ測定結果をレポートする一方、ＣＳＩフィードバックは非周期的なレポートを用いて、基地局からＣＳＩグラントを受信してから所定の時点で物理アップリンク共用チャネル（ＰＵＳＣＨ）で送信される。この実施例に従えば、基地局４１０は、非周期的なＣＳＩレポートを用いて、特定のサブフレームにおけるダウンリンク無線状況を反映しているＣＳＩを要求することができる。
【００４０】
正確なＣＳＩ測定値を得るために、ユーザ装置４２０は通常、多くのサブフレームにわたって干渉測定値の平均をとる場合がある。一般的な原理とは、ユーザ装置４２０がスケジューリングされると思われるサブフレームにおける無線状態を、測定結果が反映しなければならないということである。ユーザ装置４２０がセル４１５によりサービスを受け、リンク不均衡ゾーン内で動作する場合、ユーザ装置４２０は、低干渉サブフレーム、即ち、保護サブフレームに合わせられているサブフレームにおいて測定だけを行うことが好ましい。それ故、ＣＳＩ測定結果に高干渉サブフレームも含めると、ＣＳＩレポートは、スケジューリングされるべきサブフレームにおける無線状態を反映せず、システム運用の劣化をもたらすであろう。図６は、ユーザ装置がＤＬ境界６１０内に位置する第１のシナリオで、ユーザ装置４２０にサービスを行う基地局４１０を描いている。このシナリオでは、ユーザ装置４２０はユーザ装置４２０−１として言及される。図６はさらに、ユーザ装置がＤＬ境界６１０の外に位置する第２のシナリオで、ユーザ装置４２０にサービスを行う基地局４１０を描いている。このシナリオでは、ユーザ装置４２０はユーザ装置４２０−２として言及される。基地局４１０に隣接しているマクロ基地局４３０は、リンク不均衡ゾーン内で、即ち、セル４１５内であるがしかしＤＬ境界６１０の外で動作しているユーザ装置に向けた干渉を軽減するために保護サブフレームで動作している。
【００４１】
即ち、このシナリオでは、セル４１５内に位置するユーザ装置４２０−１は、基地局４１０の近くに、即ち、ＤＬ境界６１０内にあり、従って、全てのサブフレームにおいてスケジューリングされるかもしれない。
【００４２】
セル４１５の縁に、即ち、ＤＬ境界６１０の外に位置するユーザ装置４２０−２は、隣接するマクロ基地局４３０からの高い干渉に直面する。このシナリオでは、セル４１５の縁に位置するユーザ装置４２０−２は、保護サブフレームにおいてのみ、即ち、ＤＬにおけるマクロセルからの干渉が低いサブフレームにおいてスケジューリングされるのが好ましい。
【００４３】
リンク不均衡セル、例えば、ピコセルで動作しているユーザ装置は、セル内でのユーザ装置の位置によって、全てのサブフレーム、或いは、低干渉サブフレームに合わせられている即ち関係しているサブフレーム即ち保護サブフレームのみにおいて、スケジューリングされる場合がある。基地局が良好なスケジューリングを決定するために、保護サブフレームと非保護サブフレームとの両方に対するＣＳＩ測定結果が必要である。基地局は、いずれのサブフレームにおいてグラントを送るべきであるかを制御し、それから、保護サブフレームか非保護サブフレームのいずれかにおけるチャネル状態を反映しているＣＳＩレポートを要求する場合がある。
【００４４】
一部の実施例では、ユーザ装置４２０が対応する測定グラントを受信するサブフレームのタイプによって、非周期的なＣＳＩレポートのための測定を区別する方法に関する手順を提供する。ＣＳＩ測定の目的のために、定義されたサブフレームの２つのタイプ、例えば、サブフレーム・タイプ“Ａ”およびサブフレーム・タイプ“Ｂ”があると、以下の手順が、例えば、適用できる。
【００４５】
ＣＳＩレポートグラントが、タイプ“Ａ”に対応するダウンリンク・サブフレームにおいて、ユーザ装置４２０により受信されると、ＣＳＩレポートは、タイプ“Ａ”のみのサブフレームにおける無線状態を反映している測定結果に基づかなければならない。
【００４６】
ＣＳＩレポートグラントが、タイプ“Ｂ”に対応するダウンリンク・サブフレームにおいて、ユーザ装置４２０により受信されると、ＣＳＩレポートは、タイプ“Ｂ”のサブフレーム、或いは、タイプ“Ａ”のサブフレームに対するサブフレームの補完セットにおける無線状態を反映している測定結果に基づかなければならない。
【００４７】
サブフレーム・タイプ“Ａ”は保護サブフレームに対応する一方、サブフレーム・タイプ“Ｂ”は非保護サブフレームに対応すると良い。上の原理は、３つ以上のサブフレーム・タイプに拡張することが可能である。この概念の一般化すると、ＣＳＩレポートグラントが生じるサブフレームが、関係するＣＳＩレポートのための測定結果がチャネル状態を反映しなければならないサブフレームのタイプを決定するという概念を含む。
【００４８】
あるいは、測定結果の代わりにＣＳＩ自体が、あるタイプのサブフレームのチャネル状態を反映しても良い。例えば、ＣＱＩ／ＣＳＩ参照リソースは、ＣＳＩレポートグラントのタイミングに基づいて、特定のタイプのサブフレームに結び付けることができよう。
【００４９】
以下、実施例はまずユーザ装置４２０の観点から見て説明し、次に基地局４１０の観点から見て説明する。
【００５０】
ＣＳＩをレポートするユーザ装置４２０における方法の実施例について、図７に描かれているフローチャートを参照して説明する。上述のように、ユーザ装置４２０は、セルラ通信ネットワーク４００において基地局４１０に接続している。この方法は、以下の動作を含み、その動作は同様に、以下で説明されるのとは別の相応しい順序で実施されても良い。
【００５１】
動作７０１
一部の実施例では、サブフレームｎ＋ｐのサブフレーム・タイプは２つ以上のサブフレーム・タイプのうちの１つである。２つ以上のサブフレーム・タイプは、異なるサブフレームの各セットに関係している。サブフレームのセットは同じサブフレーム・タイプのサブフレームを含む。これらの実施例では、ユーザ装置４２０は基地局４１０からメッセージを受信することができる。そのメッセージはサブフレームのセットを示す。
【００５２】
一部の実施例では、サブフレームのセットは、隣接セルにより引き起こされる低干渉に合わせられた保護サブフレームのサブセットを有する。
【００５３】
例えば、基地局４１０によりサービスを受けるユーザ装置４２０は、ＣＳＩ測定で考慮する限定されたサブフレームのセットに関するメッセージを受信する場合がある。このメッセージは、基地局４１０からユーザ装置４２０に、例えば、同報されるか、または専用で送信されるかもしれない。通常、そのメッセージは、例えば、ＲＲＣメッセージのような上位レイヤのメッセージに対応する。限定されたサブフレームのセットは、例えば、全ての保護サブフレーム、即ち、隣接セルにより引き起こされる低干渉サブフレームに合わせられたサブフレームを表すかもしれないし、或いは、保護サブフレームのサブセットに対応するかもしれない。セルラ通信ネットワーク４００はまた、基地局４１０を経由して、補完的なＣＳＩ測定の目的のためのサブフレームを示す限定されたサブフレームのセットからなる上位レイヤの付加的なメッセージを、ユーザ装置４２０に同報するか、或いは、専用で送信しても良い。限定されたサブフレームのシグナリングされたセットに対するサブフレームの補完的なセットの一例は、非保護（保護されない）サブフレームである。セルラ通信ネットワーク４００によりシグナリングされた、一定のＣＳＩ測定のための限定されたサブフレームの１つ以上のセットは、例えば、１セットあたり１つのビットマップにより表されると良い。その場合、１つのビットは、例えば、無線フレーム内の１つのサブフレーム、或いは、いくつかの無線フレーム内のサブフレームを表す。限定されたサブフレームの１つ以上のセットは、開始時間と停止時間を含むことができ、そして、セルラ通信ネットワーク４００が限定されたサブフレームの１つ以上のセットを再構成設定するまで、周期的に繰り返されると良い。
【００５４】
動作７０２
ユーザ装置４２０は、基地局４１０から、グラントをＣＳＩレポートに用いられるサブフレームｎで受信する。
【００５５】
例えば、基地局４１０は、ユーザ装置４２０によりサブフレームｎ＋ｋで送られる非周期的なＣＳＩレポートを要求するために、ユーザ装置４２０にサブフレームｎでグラントを送信したかもしれない。
【００５６】
動作７０３
ユーザ装置４２０は、サブフレームｎ＋ｐのサブフレーム・タイプを決定する。
【００５７】
例えば、ユーザ装置４２０は、サブフレームｎでＣＳＩレポートグラントを受信し、検出する。
【００５８】
サブフレームｎ＋ｐがタイプ“Ａ”のサブフレームに対応するなら、セルラ通信ネットワーク４００が、例えば、上位レイヤのシグナリングを介して、タイプ“Ａ”のサブフレームに関係しているものとして示すサブフレームにおける無線状態を反映しているＣＳＩを、ユーザ装置４２０はレポートしなければならない。
【００５９】
サブフレームｎが、おそらくは周知のタイミング関係によって、タイプ“Ｂ”のサブフレームに対応するなら、セルラ通信ネットワーク４００により、例えば、上位レイヤのシグナリングを介して、タイプ“Ｂ”のサブフレームに関係しているものとして示されるサブフレームにおける無線状態を反映しているＣＳＩを、ユーザ装置４２０はレポートしなければならない。
【００６０】
これは、３つ以上のサブフレーム・タイプに一般化されても良い。各サブフレーム・タイプ（Ａ，Ｂ，Ｃ，……）があれば、サブフレームに関係したセットがあるかもしれない。ＣＳＩレポートは、これらの実施例において、そのサブフレームに関係したセットに属するサブフレームにおける無線状態を反映しなければならない。
【００６１】
動作７０４
ユーザ装置４２０は、サブフレームｎ＋ｐのサブフレーム・タイプにおけるチャネル状態を反映しているＣＳＩを、基地局４１０にレポートする。ここで、ｐは変数値である。
【００６２】
一部の実施例では、ｐはセルラ通信ネットワーク４００とユーザ装置４２０との両方には周知の変数値である。
【００６３】
一部の実施例では、サブフレームｎ＋ｐのサブフレーム・タイプは、２つ以上のサブフレーム・タイプのうちの１つである。２つ以上のサブフレーム・タイプは、異なるサブフレームの各セットに関係している。これらの実施例では、ＣＳＩをレポートするこの動作は、サブフレームｎ＋ｐのサブフレーム・タイプに関係するサブフレームのセットに属するサブフレームにおけるチャネル状態を反映する。一部の実施例では、ｐの値はゼロに等しいが、しかし上述のように、セルラ通信ネットワーク４００とユーザ装置４２０との両方に周知である他の値または関数でも良い。ｐの値は、例えば、何らかの事前に決められた規定に従うサブフレームｎから暗黙的に決定されても良い。ｐがゼロに等しい場合、チャネル状態がＣＳＩレポートで反映されるべきサブフレーム・タイプを決定するのは、グラントがユーザ装置４２０により受信されるサブフレームのサブフレーム・タイプである。
【００６４】
ＣＳＩをレポートするこの動作は、非周期的でも良いし、或いは、周期的でも良い。
【００６５】
一部の実施例では、サブフレームのセットは、隣接セルにより引き起こされる低干渉に合わせられた保護サブフレームのサブセットを有する。
【００６６】
この実施例については、異なるタイプのサブフレームにおける無線状態をレポートするためにＣＳＩレポートグラントを更なるビットを用いて拡張する必要はないであろう。ＬＴＥリリース８で用いられるのと同じ基本的なＣＳＩシグナリングメカニズムが、リンク不均衡ゾーンのある異機種環境のネットワーク運用においてＣＳＩフィードバックのための測定を行う方法に関する付加的な暗黙の原理を用いて再使用されても良い。
【００６７】
一部の実施例では、サブフレームｎ＋ｐのサブフレーム・タイプは、保護サブフレームに対応する第１のサブフレーム・タイプにより表される。第１のサブフレーム・タイプは、隣接セルにより引き起こされる低干渉に合わせられた保護サブフレームを有するサブフレームのセットに関係している。一部の実施例では、サブフレームｎ＋ｐのサブフレーム・タイプは、非保護サブフレームに対応する第２のサブフレーム・タイプにより表され、第２のサブフレーム・タイプは、非保護サブフレームを有するサブフレームのセットと関係しており、非保護サブフレームは、隣接セルにより引き起こされる低干渉に合わせられた保護サブフレームの一部ではないサブフレームである。
【００６８】
例えば、基地局４１０は、ユーザ装置４２０によりサブフレームｎ＋ｋで送られる非周期的ＣＳＩレポートを要求するために、ユーザ装置４２０にサブフレームｎでグラントを送信する。ユーザ装置４２０は、サブフレームｎでＣＳＩレポートグラントを受信し、検出する。ここで、ｋは負ではない整数であり、ｐは任意の整数で、ゼロを含む負の値、或いは、正の値を表す。
【００６９】
−サブフレームｎ＋ｐが保護サブフレームに対応するなら、ユーザ装置４２０は、セルラ通信ネットワーク４００により、例えば、上位レイヤのシグナリングによって保護サブフレームであるとして示されたサブフレーム、即ち、サブフレームの第１のセットにおけるチャネル状態を反映している測定結果に基づいて、ＣＳＩをレポートしなければならない。
【００７０】
−サブフレームｎ＋ｐが非保護サブフレームに対応するなら、ユーザ装置４２０は、セルラ通信ネットワーク４００により、例えば、上位レイヤのシグナリングによって保護サブフレームであるとして示された限定されたサブフレームの第１のセットの一部ではないサブフレーム、即ち、サブフレームの第２のセットにおけるチャネル状態を反映しているＣＳＩをレポートしなければならない。
【００７１】
ユーザ装置４２０は、サブフレームの第１のセットが保護サブフレームに言及しているのか、或いは、非保護サブフレームに言及しているのかどうかを知る必要がない。ユーザ装置４２０は、グラントがいずれのセットに属するのかに依存して、第１のセットか、または第２のセットのいずれかにリンクしたチャネル状態をレポートする。
【００７２】
ｐの値は、特定の実施例では、ゼロに等しいが、しかしセルラ通信ネットワーク４００とユーザ装置４２０との両方に周知の他の値または関数もまた想定される可能性がある。ＣＳＩレポートグラントが生じるサブフレームは、関係するＣＳＩレポートのための測定結果がチャネル状態を反映しなければならないサブフレームのタイプを決定する。
【００７３】
一部の他の実施例では、サブフレームｎ＋ｐのサブフレーム・タイプは、保護サブフレームに対応する第１のサブフレーム・タイプにより表される。第１のサブフレーム・タイプは、基地局４１０からのメッセージで保護されるものとして示されたサブフレームのセットに関係している。一部の実施例では、サブフレームｎ＋ｐのサブフレーム・タイプは、非保護サブフレームに対応する第２のサブフレームにより表され、第２のサブフレーム・タイプは、基地局４１０からのメッセージで補完的であるとして示されているサブフレームのセットに関係している。
【００７４】
例えば、基地局４１０は、ユーザ装置４２０によりサブフレームｎ＋ｋで送られる非周期的ＣＳＩレポートを要求するために、ユーザ装置４２０にサブフレームｎでグラントを送信するかもしれない。ユーザ装置４２０は、サブフレームｎでＣＳＩレポートグラントを受信し、検出する。
【００７５】
−サブフレームｎ＋ｐが保護サブフレームに対応するなら、ユーザ装置４２０は、セルラ通信ネットワーク４００により、例えば、上位レイヤのシグナリングによって保護サブフレームであるとして示されたサブフレームにおけるチャネル状態を反映している測定結果に基づいて、ＣＳＩをレポートしなければならない。
【００７６】
−サブフレームｎ＋ｐが非保護サブフレームに対応するなら、ユーザ装置４２０は、セルラ通信ネットワーク４００により、例えば、上位レイヤのシグナリングによって補完的サブフレームであるとして示されたサブフレームの補完的セットにおけるサブフレームにおけるチャネル状態を反映しているＣＳＩをレポートしなければならない。
【００７７】
基地局４１０が、非保護サブフレームｎ＋ｐに対応して、サブフレームｎでグラントを送信し、サブフレームｎ＋ｋでＣＳＩレポートを受信していないなら、サブフレームｎ＋ｋでＣＳＩレポートを送信するよう要求されているユーザ装置４２０が、リンク不均衡ゾーン内にあり、非保護サブフレームでＰＤＣＣＨを検出できないということを、基地局４１０は予期するか、判断する場合がある。基地局４１０はその場合、保護サブフレームでユーザ装置４２０にＣＳＩレポートグラントを送信すると良い。
【００７８】
上述したユーザ装置４２０における方法の動作を実行するために、ユーザ装置４２０は、図８に描かれている以下の装置構成８００を有する。上述のように、ユーザ装置４２０は、セルラ通信ネットワーク４００において基地局４１０と通信するように適合されている。ユーザ装置４２０はさらに、基地局４１０にチャネル状態情報をレポートすることができる。
【００７９】
装置構成８００は、グラントをＣＳＩレポートに用いられるサブフレームｎで、基地局４１０から受信するように構成された処理回路８０５を有する。この機能のために、処理回路８０５は受信ユニット８１０を有すると良い。
【００８０】
装置構成８００は、サブフレームｎ＋ｐのサブフレーム・タイプを決定するように構成された処理回路８０５を有する。この機能のために、処理回路８０５は決定ユニット８２０を有すると良い。
【００８１】
一部の実施例では、サブフレームｎ＋ｐのサブフレーム・タイプは、保護サブフレームに対応する第１のサブフレーム・タイプにより表される。第１のサブフレーム・タイプは、隣接セルにより引き起こされる低干渉に合わせられた保護サブフレームを有するサブフレームのセットに関係している。一部の実施例では、サブフレームｎ＋ｐのサブフレーム・タイプは、非保護サブフレームに対応する第２のサブフレーム・タイプにより表される。第２のサブフレーム・タイプは、非保護サブフレームを有しているサブフレームのセットに関係している。非保護サブフレームは、隣接セルにより引き起こされる低干渉に合わせられた保護サブフレームの一部ではないサブフレームである。
【００８２】
一部の実施例では、サブフレームｎ＋ｐのサブフレーム・タイプは、保護サブフレームに対応する第１のサブフレーム・タイプにより表される。第１のサブフレーム・タイプは、基地局４１０からのメッセージで保護されるものとして示されたサブフレームのセットに関係している。一部の実施例では、サブフレームｎ＋ｐのサブフレーム・タイプは、非保護サブフレームに対応する第２のサブフレーム・タイプにより表される。第２のサブフレーム・タイプは、基地局４１０からのメッセージで補完的であるとして示されているサブフレームのセットに関係している。
【００８３】
処理回路８０５はさらに、サブフレームｎ＋ｐのサブフレーム・タイプにおけるチャネル状態を反映しているＣＳＩを、基地局４１０にレポートするように構成されている。ここで、ｐは変数値である。一部の実施例では、ｐはセルラ通信ネットワーク４００とユーザ装置４２０の両方に周知の変数値である。この機能のために、処理回路８０５はレポートユニット８３０を有すると良い。ｐの値は、例えば、ゼロに等しい場合があるが、しかし、セルラ通信ネットワーク４００とユーザ装置４２０の両方に周知の他の値または関数でも良い。ｐがゼロに等しい場合、チャネル状態がＣＳＩレポートに反映されるべきであるサブフレーム・タイプを決定するのは、グラントがユーザ装置４２０により受信されるサブフレームのサブフレーム・タイプである。
【００８４】
一部の実施例では、例えば、レポートユニット８３０のように、処理回路８０５はさらにＣＳＩを非周期的にレポートするように構成される。
【００８５】
一部の実施例では、サブフレームｎ＋ｐのサブフレーム・タイプは、２つ以上のサブフレーム・タイプのうちの１つであり、２つ以上のサブフレーム・タイプは、異なるサブフレームの各セットに関係している。これらの実施例では、処理回路８０５は、例えば、レポートモジュール８３０は、サブフレームｎ＋ｐのサブフレーム・タイプに関係したサブフレームのセットに属するサブフレームにおけるチャネル状態を反映しているＣＳＩをレポートするようにさらに構成されると良い。
【００８６】
一部の実施例では、処理回路８０５は、例えば、受信ユニット８１０のように、基地局４１０から、サブフレームのセットを示すメッセージを受信するようさらに構成される。
【００８７】
一部の実施例では、サブフレームのセットは、隣接セルにより引き起こされる低干渉に合わせられた保護サブフレームのサブセットを有する。
【００８８】
ユーザ装置４２０内の装置構成８００は、一部の実施例に従えば、例えば、ＤＳＰ（デジタル信号プロセッサ）と、符号化および復号化モジュールを持つ処理ユニット８４０を有する。処理ユニット８４０は、ここで説明した手順の種々の工程を行う単一のユニットでも良いし、或いは、複数のユニットでも良い。装置構成８００はまた、入力ユニットおよび出力ユニットを有する。入力ユニットおよび出力ユニットは、ユーザ装置４２０内の装置８００のハードウェアにおいて１つのユニットとして構成されても良いし、或いは、別々の複数のユニットとして構成されても良い。
【００８９】
さらに、装置構成８００は、不揮発性メモリ８５０、例えば、ＥＥＰＲＯＭ、フラッシュメモリおよびディスクドライブの形で、少なくとも１つのコンピュータプログラム製品を有していても良い。そのコンピュータプログラム製品は、コンピュータプログラムを有していて、そのコンピュータプログラムは、処理ユニット８４０で実行される場合、ユーザ装置内の装置構成８００に先に説明した手順の工程を行わせるコード手段を有する。
【００９０】
それ故、説明した代表的な実施例では、ユーザ装置内の装置構成８００のコンピュータプログラムにおけるコード手段は、コンピュータプログラムモジュールに構造化されたコンピュータプログラムコードの形で、グラントをＣＳＩレポートに用いられるサブフレームｎで受信するモジュール、特定の実施例では、ｐの値を得るモジュール、サブフレームｎ＋ｐのサブフレーム・タイプを決定するモジュール、及び、サブフレームｎ＋ｐのサブフレーム・タイプにおけるチャネル状態を反映しているＣＳＩをレポートするモジュールを有する。
【００９１】
さらに、装置構成８００は、不揮発性メモリ、例えば、ＥＥＰＲＯＭ、フラッシュメモリおよびディスクドライブの形で、少なくとも１つのコンピュータプログラム製品を有していても良い。そのコンピュータプログラム製品は、コンピュータプログラムを有していて、そのコンピュータプログラムが処理ユニットで実行される場合、ユーザ装置内の装置構成８００に先に説明した手順の工程を行わせるコード手段を備える。
【００９２】
それ故、説明した代表的な実施例では、基地局内の装置構成８００のコンピュータプログラムにおけるコード手段は、コンピュータプログラムモジュールに構造化されたコンピュータプログラムコードの形で、グラントをＣＳＩレポートに用いられるサブフレームｎでユーザ装置４２０に提供するモジュール、特定の実施例では、ｐの値を得るモジュールおよび、サブフレームｎ＋ｐのサブフレーム・タイプにおけるチャネル状態を反映しているＣＳＩをユーザ装置から受信するモジュールを有する。
【００９３】
本発明は、勿論、ここで明確に説明した以外の方法で、本発明の本質的な特徴から逸脱することなく、実施されても良い。この実施例は、あらゆる点において、例示的であり、限定的なものであると考えられるべきではない。
【００９４】
次にユーザ装置４２０からＣＳＩを得る基地局４１０における方法の実施例について、図９に描かれているフローチャートを参照して説明する。上述のように、基地局４１０は、セルラ通信ネットワーク４００に含まれている。
【００９５】
一部の実施例では、基地局４１０は、第１のセル、例えば、セル４１５などにサービスを行う低電力ノードにより表される。この場合では、セル４１５は第１のセルにより表される。第１のセルは、マクロ基地局によりサービスが行われるマクロセルにより表される隣接セル４２５に含まれている。この場合には、隣接基地局はマクロ基地局により表される。この場合には、隣接基地局４３０はマクロ基地局により表される。第１のセルとマクロセルは同じ搬送波周波数の無線リソースを共用する。
【００９６】
一部の実施例では、基地局４１０はピコセルにサービスを行うピコ基地局により表される。この場合には、セル４１５はピコセルにより表される。ピコセルは、マクロ基地局によりサービスが行われるマクロセルにより表される隣接セル４２５に含まれている。この場合には、隣接基地局４３０はマクロ基地局により表される。ピコセルとマクロセルは同じ搬送波周波数の無線リソースを共用する。
【００９７】
この方法は以下の動作を含み、その動作は以下で説明するとは別の適切な順序で同様に実行されても良い。
【００９８】
動作９０１
基地局４１０は、ＣＳＩレポートで用いられるグラントをサブフレームｎでユーザ装置４２０に提供する。
【００９９】
動作９０２
基地局４１０は、サブフレームｎ＋ｐのサブフレーム・タイプにおけるチャネル状態を反映しているＣＳＩをユーザ装置４２０から受信する。ここで、ｐは変数値である。一部の実施例では、ｐはネットワークとユーザ装置４２０の両方に周知の変数値である。ｐの値は、例えば、ゼロに等しくても良いが、しかし、セルラ通信ネットワーク４００とユーザ装置４２０の両方に周知の他の値または関数でも良い。ｐがゼロに等しい場合、チャネル状態がＣＳＩレポートに反映されるべきであるサブフレーム・タイプを決定するのは、グラントがユーザ装置４２０により受信されるサブフレームのサブフレーム・タイプである。
【０１００】
サブフレームｎ＋ｐのサブフレーム・タイプは、２つ以上のサブフレーム・タイプのうちの１つである場合がある。２つ以上のサブフレーム・タイプは、異なるサブフレームの各セットに関係している。ユーザ装置４２０から受信したＣＳＩは、サブフレームｎ＋ｐのサブフレーム・タイプに関係したサブフレームのセットに属するサブフレームにおけるチャネル状態を反映する。
【０１０１】
動作９０３
基地局４１０はユーザ装置４２０に、サブフレームのセットを示すメッセージを送信する場合がある。
【０１０２】
一部の実施例では、サブフレームｎ＋ｐのサブフレーム・タイプは、保護サブフレームに対応する第１のサブフレーム・タイプにより表される。第１のサブフレーム・タイプは、隣接セルにより引き起こされる低干渉に合わせられた保護サブフレームを有するサブフレームのセットに関係している。一部の実施例では、サブフレームｎ＋ｐのサブフレーム・タイプは、非保護サブフレームに対応する第２のサブフレームにより表される。第２のサブフレーム・タイプは、非保護サブフレームを有しているサブフレームのセットに関係している。非保護サブフレームは、隣接セルにより引き起こされる低干渉に合わせられた保護サブフレームの一部ではないサブフレームである。
【０１０３】
一部の実施例では、サブフレームｎ＋ｐのサブフレーム・タイプは、保護サブフレームに対応する第１のサブフレーム・タイプにより表され、第１のサブフレーム・タイプは、ユーザ装置４２０へのメッセージにおいて保護されるものとして示されたサブフレームのセットに関係している。一部の実施例では、サブフレームｎ＋ｐのサブフレーム・タイプは、非保護サブフレームに対応する第２のサブフレーム・タイプにより表され、第２のサブフレーム・タイプは、ユーザ装置４２０へのメッセージにおいて補完的であるものとして示されているサブフレームのセットに関係している。
【０１０４】
サブフレームのセットは、隣接セルにより引き起こされる低干渉に合わせられた保護サブフレームのサブセットを有していると良い。
【０１０５】
ユーザ装置４２０からＣＳＩを得るための上述した基地局４１０における方法の動作を実行するために、基地局４１０は図１０に描かれた装置構成１０００を有している。基地局４１０はユーザ装置４２０からＣＳＩを得ることができる。基地局４１０はセルラ通信ネットワークに含まれているべきである。
【０１０６】
一部の実施例では、基地局４１０は、例えば、セル４１５のような第１のセルにサービスを行う低電力ノードにより表される。この場合、セル４１５は第１のセルにより表される。第１のセルは、マクロ基地局によりサービスが行われるマクロセルにより表される隣接セル４２５に含まれている。この場合、隣接基地局はマクロ基地局により表される。この場合には、隣接基地局４３０はマクロ基地局により表される。第１のセルとマクロセルは同じ搬送波周波数の無線リソースを共用する。
【０１０７】
一部の実施例では、基地局４１０は、ピコセルにサービスを行うピコ基地局により表される。この場合、セル４１５はピコセルにより表される。ピコセルは、マクロ基地局によりサービスが行われるマクロセルにより表される隣接セル４２５に含まれている。この場合には、隣接基地局４３０はマクロ基地局により表される。ピコセルとマクロセルは同じ搬送波周波数の無線リソースを共用する。
【０１０８】
基地局４１０内の装置構成１０００は、グラントをＣＳＩレポートに用いられるサブフレームｎでユーザ装置４２０に提供するよう構成された処理回路１００５を有している。この機能のために、処理回路１００５は提供ユニット１０１０を備えると良い。
【０１０９】
処理回路１００５はさらに、サブフレームｎ＋ｐのサブフレーム・タイプにおけるチャネル状態を反映しているＣＳＩをユーザ装置４２０から受信するように構成される。ここで、ｐは変数値である。一部の実施例では、ｐはネットワークとユーザ装置４２０の両方に周知の変数値である。この機能のために、処理回路１００５は受信ユニット１０２０を有すると良い。ｐの値はゼロに等しくても良いが、しかし上述のように、セルラ通信ネットワーク４００とユーザ装置４２０の両方に周知の他の値または関数でも良い。ｐがゼロに等しい場合、チャネル状態がＣＳＩレポートに反映されるべきサブフレーム・タイプを決定するのは、グラントがユーザ装置４２０により受信されるサブフレームのサブフレーム・タイプである。
【０１１０】
一部の実施例に従えば、サブフレームｎ＋ｐのサブフレーム・タイプは、２つ以上のサブフレーム・タイプのうちの１つである。２つ以上のサブフレーム・タイプは異なるサブフレームの各セットに関係している。これらの実施例では、処理回路１００５は、例えば、受信ユニット１０２０のように、サブフレームｎ＋ｐのサブフレーム・タイプに関係したサブフレームのセットに属しているサブフレームにおけるチャネル状態を反映しているＣＳＩを、ユーザ装置４２０から受信するように、さらに構成されると良い。
【０１１１】
サブフレームのセットは、隣接セルにより引き起こされる低干渉に合わせられた保護サブフレームのサブセットを有している場合がある。
【０１１２】
一部の実施例では、処理回路１００５はさらに、ユーザ装置４２０にサブフレームのセットを示すメッセージを送信するように構成される。この機能のために、処理回路１００５は送信ユニット１０３０を有すると良い。
【０１１３】
一部の実施例では、サブフレームｎ＋ｐのサブフレーム・タイプは、保護サブフレームに対応する第１のサブフレーム・タイプにより表され、第１のサブフレーム・タイプは、隣接セルにより引き起こされる低干渉に合わせられた保護サブフレームを有しているサブフレームのセットに関係している。一部の実施例では、サブフレームｎ＋ｐのサブフレーム・タイプは、非保護サブフレームに対応する第２のサブフレーム・タイプにより表される。第２のサブフレーム・タイプは、非保護サブフレームを有しているサブフレームのセットに関係している。非保護サブフレームは、隣接セルにより引き起こされる低干渉に合わせられた保護サブフレームの一部ではないサブフレームである。
【０１１４】
一部の他の実施例では、サブフレームｎ＋ｐのサブフレーム・タイプは、保護サブフレームに対応する第１のサブフレーム・タイプにより表され、第１のサブフレーム・タイプは、ユーザ装置４２０へのメッセージにおいて保護されるものとして示されたサブフレームのセットに関係している。一部の実施例では、サブフレームｎ＋ｐのサブフレーム・タイプは、非保護サブフレームに対応する第２のサブフレーム・タイプにより表され、第２のサブフレーム・タイプは、ユーザ装置４２０へのメッセージにおいて補完的であるとして示されているサブフレームのセットに関係している。
【０１１５】
基地局４１０の装置構成１０００は、一部の実施例に従えば、例えば、ＤＳＰ（デジタル信号プロセッサ）と、符号化／復号化モジュールとを持つ処理ユニット１０４０を有する。処理ユニット１０４０は、ここで説明した手順の種々の工程を実行する単一のユニットでも良いし、或いは、複数のユニットでも良い。この装置構成はまた、入力ユニットおよび出力ユニットを有する。入力ユニットおよび出力ユニットは、基地局４１０の装置構成のハードウェアにおいて１つのユニットとして構成されても良いし、または別々の複数のユニットとして構成されても良い。
【０１１６】
さらに、装置構成１０００は、不揮発性メモリ１０５０、例えば、ＥＥＰＲＯＭ、フラッシュメモリおよびディスクドライブの形で、少なくとも１つのコンピュータプログラム製品を有していても良い。そのコンピュータプログラム製品は、コンピュータプログラムを有し、そのコンピュータプログラムが処理ユニット１０４０で実行される場合、基地局４１０内の装置構成に先に説明した手順の工程を行わせるコード手段を有する。
【０１１７】
それ故、説明した代表的な実施例では、基地局４１０の装置構成１０００のコンピュータプログラムにおけるコード手段は、コンピュータプログラムモジュールに構造化されたコンピュータプログラムコードの形で、グラントをＣＳＩレポートに用いられるサブフレームｎでユーザ装置４２０に提供するためのモジュール、特定の実施例では、ｐの値を得るモジュールと、サブフレームｎ＋ｐのサブフレーム・タイプにおけるチャネル状態を反映しているＣＳＩをユーザ装置から受信するモジュールとを有している。
【０１１８】
本発明は、勿論、ここで具体的に説明した以外の方法で、本発明の本質的な特徴から逸脱することなく、実施される。この実施例はあらゆる点において、例示的であり、限定的であると考えられるべきではない。
【０１１９】
語句“有する（comprise）”または“有している（comprising）”を用いる場合、この語句は、非限定的である、即ち、“少なくとも〜で構成される（consist at least of）”を意味すると解釈されなければならない。
【０１２０】
ここで説明した実施例は、上述した好適な実施例に限定されるものではない。様々な代替、修正および等価物が用いられても良い。従って、上記実施例は本発明の範囲を限定すると解釈されるべきではなく、本発明の範囲は添付の請求の範囲により定義される。
【図１】
0005728093.tif 000002
【図２】
0005728093.tif 000003
【図３】
0005728093.tif 000004
【図４】
0005728093.tif 000005
【図５】
0005728093.tif 000006
【図６】
0005728093.tif 000007
【図７】
0005728093.tif 000008
【図８】
0005728093.tif 000009
【図９】
0005728093.tif 000010
【図１０】
0005728093.tif 000011